(57)【要約】【課題】  画像中の人物の顔領域を簡単に拡大表示することができるようにする。【解決手段】  パーソナルコンピュータ２のメモリ１１には、画像表示プログラム１６が記憶されている。画像表示プログラム１６が起動すると、ＣＰＵ１０には、ブラウザ制御部１８、顔情報検出処理部１９、顔領域特定処理部２０、表示処理部２１などが生成される。ブラウザ制御部１８は、画像表示ブラウザをモニタ１２の画面上に表示する。顔情報検出処理部１９は、画像表示ブラウザ中に表示されたレビュー画像からすべての人物の両目およびその位置からなる顔情報を検出する。顔領域特定処理部２０は、ユーザによってレビュー画像中におおまかに指定された位置に最も近い人物の顔の両目位置に基づいて顔領域を特定する。表示処理部２１は、特定された顔領域が表示領域に収まるほぼ最大のサイズとなるように電子的に拡大表示する。【選択図】        図１
2006178222.tif 000002
【特許請求の範囲】
【請求項１】
画像の一部分を拡大表示することをコンピュータに実行させるための画像表示プログラムであって、
前記画像中に位置指定が行われた際に前記画像からすべての人物の顔情報を検出する検出処理と、指定位置に最も近い人物の顔情報に基づいて顔領域を特定する特定処理と、特定された顔領域を拡大表示する表示処理とを前記コンピュータに実行させることを特徴とする画像表示プログラム。
【請求項２】
前記顔情報を人物の両目とし、前記顔領域を両目の間隔に基づいて特定することを前記コンピュータに実行させることを特徴とする請求項１記載の画像表示プログラム。
【請求項３】
前記画像は動画であって、前記位置指定が行われた際のフレームに対して前記検出処理、前記特定処理、および前記表示処理を前記コンピュータに実行させることを特徴とする請求項１または２記載の画像表示プログラム。
【請求項４】
画像の一部分を拡大表示することをコンピュータに実行させるための画像表示プログラムであって、
所定のボタンが押下された際に前記画像からすべての人物の顔情報を検出する検出処理と、この顔情報に基づいて各人物の顔領域を特定する特定処理と、特定された各顔領域を前記ボタンが押下されるたびに順に拡大表示する表示処理とを前記コンピュータに実行させることを特徴とする画像表示プログラム。
【請求項５】
前記顔情報を人物の両目とし、前記各顔領域を両目の間隔に基づいて特定することを前記コンピュータに実行させることを特徴とする請求項４記載の画像表示プログラム。
【請求項６】
前記表示処理において、前記ボタンが押下されるたびに、両目の間隔が大きいものから順に前記各顔領域を拡大表示することを前記コンピュータに実行させることを特徴とする請求項５記載の画像表示プログラム。
【請求項７】
前記表示処理において、前記各顔領域の写り具合を評価し、前記ボタンが押下されるたびに、写り具合のよいものから順に前記各顔領域を拡大表示することを前記コンピュータに実行させることを特徴とする請求項４または５記載の画像表示プログラム。
【請求項８】
前記表示処理において、拡大前の画像の表示領域とは異なる表示領域に前記顔領域を拡大表示することを前記コンピュータに実行させることを特徴とする請求項１ないし７いずれか記載の画像表示プログラム。
【請求項９】
画像の一部分を拡大表示する機能を有する画像表示装置であって、
前記画像中に位置指定が行われた際に前記画像からすべての人物の顔情報を検出する検出処理手段と、指定位置に最も近い人物の顔情報に基づいて顔領域を特定する特定処理手段と、特定された顔領域を拡大表示する表示処理手段とを備えたことを特徴とする画像表示装置。
【請求項１０】
前記顔情報を人物の両目とし、前記顔領域を両目の間隔に基づいて特定することを特徴とする請求項９記載の画像表示装置。
【請求項１１】
前記画像は動画であって、前記位置指定が行われた際のフレームに対して前記検出処理手段、前記特定処理手段、および前記表示処理手段が前記処理を実行することを特徴とする請求項９または１０記載の画像表示装置。
【請求項１２】
画像の一部分を拡大表示する機能を有する画像表示装置であって、
所定のボタンが押下された際に前記画像からすべての人物の顔情報を検出する検出処理手段と、この顔情報に基づいて各人物の顔領域を特定する特定処理手段と、特定された各顔領域を前記ボタンが押下されるたびに順に拡大表示する表示処理手段とを実行することを特徴とする画像表示装置。
【請求項１３】
前記顔情報を人物の両目とし、前記各顔領域を両目の間隔に基づいて特定することを特徴とする請求項１２記載の画像表示装置。
【請求項１４】
前記表示処理手段は、前記ボタンが押下されるたびに、両目の間隔が大きいものから順に前記各顔領域を拡大表示することを特徴とする請求項１３記載の画像表示装置。
【請求項１５】
前記表示処理手段、前記各顔領域の写り具合を評価し、前記ボタンが押下されるたびに、写り具合のよいものから順に前記各顔領域を拡大表示することを特徴とする請求項１２または１３記載の画像表示装置。
【請求項１６】
前記表示処理手段は、拡大前の画像の表示領域とは異なる表示領域に前記顔領域を拡大表示することを特徴とする請求項９ないし１５いずれか記載の画像表示装置。
【発明の詳細な説明】
【技術分野】
【０００１】
本発明は、画面上に画像の一部を拡大表示させる機能を有する画像表示プログラムおよび画像表示装置に関する。
【背景技術】
【０００２】
近年、デジタルカメラなどの電子撮像装置が普及している。また、デジタルカメラなどで取得した多数の画像ファイルをパソコンのモニタ上で閲覧して鑑賞するための画像ビューアが販売されている。画像ビューアとは、パソコンに組み込まれたソフトウェアであり、画像ファイルの一覧表示、選択表示、複写、削除、画像の切り抜き、回転、サイズ変更などの各種処理を統合的に操作可能とするものである。
【０００３】
ところで、人物を被写体として撮影した画像の良し悪しは、人物の顔にピントが合っているか、人物の顔の色合いが良いかなどが判定基準とされることが多い。画像ビューアを用いて画像中の人物の写り具合をチェックするためには、ユーザは、画像ごとに人物の顔領域を拡大表示する操作を行う必要がある。これに関連する技術として、画像中の人物の顔部分に矩形の枠を自動的に設定する方法が知られている（特許文献１参照）。
【特許文献１】特開２００２−０４２１１６号公報
【発明の開示】
【発明が解決しようとする課題】
【０００４】
しかしながら、上記特許文献１記載の方法は、顔部分に矩形の枠を自動的に設定するとともに枠のサイズを適宜補正するものであって、画像の顔領域の拡大表示に用いられるものではなく、また、画像中に複数の人物が存在する場合に、各人物の顔領域を特定できるものでもない。従って、従来の画像ビューアでは、画像中から人物の顔領域を特定して拡大表示するためには、位置調整やズーム倍率調整など煩雑な操作が必要となる。
【０００５】
本発明は、上記課題を鑑みてなされたものであり、画像中の人物の顔領域を簡単に拡大表示することができる画像表示プログラムおよび画像表示装置を提供することを目的とする。
【課題を解決するための手段】
【０００６】
上記目的を達成するために、請求項１に記載の発明は、画像の一部分を拡大表示することをコンピュータに実行させるための画像表示プログラムであって、前記画像中に位置指定が行われた際に前記画像からすべての人物の顔情報を検出する検出処理と、指定位置に最も近い人物の顔情報に基づいて顔領域を特定する特定処理と、特定された顔領域を拡大表示する表示処理とを前記コンピュータに実行させることを特徴とする。
【０００７】
なお、前記顔情報を人物の両目とし、前記顔領域を両目の間隔に基づいて特定することが好ましい。
【０００８】
また、前記画像は動画であって、前記位置指定が行われた際のフレームに対して前記検出処理、前記特定処理、および前記表示処理を前記コンピュータに実行させることも好ましい。
【０００９】
請求項４に記載の発明は、画像の一部分を拡大表示することをコンピュータに実行させるための画像表示プログラムであって、所定のボタンが押下された際に前記画像からすべての人物の顔情報を検出する検出処理と、この顔情報に基づいて各人物の顔領域を特定する特定処理と、特定された各顔領域を前記ボタンが押下されるたびに順に拡大表示する表示処理とを前記コンピュータに実行させることを特徴とする。
【００１０】
なお、前記顔情報を人物の両目とし、前記各顔領域を両目の間隔に基づいて特定することを前記コンピュータに実行させることが好ましい。
【００１１】
また、前記表示処理において、前記ボタンが押下されるたびに、両目の間隔が大きいものから順に前記各顔領域を拡大表示することを前記コンピュータに実行させることも好ましい。
【００１２】
また、前記表示処理において、前記各顔領域の写り具合を評価し、前記ボタンが押下されるたびに、写り具合のよいものから順に前記各顔領域を拡大表示することを前記コンピュータに実行させることも好ましい。
【００１３】
さらに、前記表示処理において、拡大前の画像の表示領域とは異なる表示領域に前記顔領域を拡大表示することも好ましい。
【００１４】
請求項９に記載の発明は、画像の一部分を拡大表示する機能を有する画像表示装置であって、前記画像中に位置指定が行われた際に前記画像からすべての人物の顔情報を検出する検出処理手段と、指定位置に最も近い人物の顔情報に基づいて顔領域を特定する特定処理手段と、特定された顔領域を拡大表示する表示処理手段とを備えたことを特徴とする。
【００１５】
なお、前記顔情報を人物の両目とし、前記顔領域を両目の間隔に基づいて特定することが好ましい。
【００１６】
また、前記画像は動画であって、前記位置指定が行われた際のフレームに対して前記検出処理手段、前記特定処理手段、および前記表示処理手段が前記処理を実行することが好ましい。
【００１７】
請求項１２に記載の発明は、画像の一部分を拡大表示する機能を有する画像表示装置であって、所定のボタンが押下された際に前記画像からすべての人物の顔情報を検出する検出処理手段と、この顔情報に基づいて各人物の顔領域を特定する特定処理手段と、特定された各顔領域を前記ボタンが押下されるたびに順に拡大表示する表示処理手段とを実行することを特徴とする。
【００１８】
なお、前記顔情報を人物の両目とし、前記各顔領域を両目の間隔に基づいて特定することが好ましい。
【００１９】
また、前記表示処理手段が、前記ボタンが押下されるたびに、両目の間隔が大きいものから順に前記各顔領域を拡大表示することも好ましい。
【００２０】
また、前記表示処理手段、前記各顔領域の写り具合を評価し、前記ボタンが押下されるたびに、写り具合のよいものから順に前記各顔領域を拡大表示することも好ましい。
【００２１】
さらに、前記表示処理手段が、拡大前の画像の表示領域とは異なる表示領域に前記顔領域を拡大表示することも好ましい。
【発明の効果】
【００２２】
本発明の画像表示プログラムおよび画像表示装置によれば、画像中に位置指定が行われた際に画像からすべての人物の顔情報を検出し、指定位置に最も近い人物の顔情報に基づいて顔領域を特定し、特定された顔領域を拡大表示するので、ユーザは煩雑な操作を行うことなく、画像中におおまかな位置指定を行うだけで、特定人物の顔領域を簡単に拡大表示することができる。
【００２３】
本発明の画像表示プログラムおよび画像表示装置によれば、所定のボタンが押下された際に前記画像からすべての人物の顔情報を検出し、この顔情報に基づいて各人物の顔領域を特定し、特定された各顔領域をボタンが押下されるたびに順に拡大表示するので、ユーザは煩雑な操作を行うことなく、ボタンを押すだけで、各人物の顔領域を簡単に拡大表示することができる。
【発明を実施するための最良の形態】
【００２４】
図１において、本発明を適用したパーソナルコンピュータ（ＰＣ）２は、ＣＰＵ１０により全体を統括的に制御される。ＣＰＵ１０には、メモリ１１、モニタ１２、操作部１３、および通信Ｉ／Ｆ１５が接続されている。
【００２５】
メモリ１１は、半導体メモリや磁気ディスクなどからなり、ＰＣ２の起動時に必要な各種プログラムやデータをはじめ、画像表示プログラム１６などが記憶されている。また、メモリ１１には、デジタルカメラ１７から通信Ｉ／Ｆ１５を介して送信される画像データ（静止画データおよび動画データ）が記憶される。
【００２６】
モニタ１２は、ＬＣＤやＣＲＴなどからなり、前述の画像データや各種の情報を表示する。操作部１３は、キーボード１４ａやマウス１４ｂなどからなる。ＣＰＵ１０は、この操作部１３の操作に応答して、ＰＣ２の各部の動作を制御する。通信Ｉ／Ｆ１５は、デジタルカメラ１７などの外部機器と、ＵＳＢケーブルなど介してデータの送受信を行う。
【００２７】
操作部１３の操作により画像表示プログラム１６を起動すると、ＣＰＵ１０には、ブラウザ制御部１８の他、顔情報検出処理部１９、顔領域特定処理部２０、表示処理部２１などの処理機能が生成される。ブラウザ制御部１８は、図２に示すようなＧＵＩ（Graphical User Interface）としての画像表示ブラウザ３０をモニタ１２の画面上に表示する。
【００２８】
画像表示ブラウザ３０には、フォルダ３１の検索を補助するエクスプローラウィンドウ３２ａと、フォルダ３１内の画像ファイルのサムネイル画像３３が表示されるサムネイルウィンドウ３２ｂと、レビュー画像３４が表示される画像表示ウィンドウ３２ｃとが表示される。レビュー画像３４は、１つのサムネイル画像３３にカーソル３５を合わせ、マウス１４ｂのクリックボタンをクリックすることで表示される。カーソル３５は、マウス１４ｂの動きに連動して動くポインタである。
【００２９】
顔情報検出処理部１９は、レビュー画像３４からすべての人物の両目およびその位置からなる顔情報を検出する機能部であって、予め用意された人物の両目画像データとの類似度を判定することで検出を行う。
【００３０】
顔領域特定処理部２０は、ユーザによっておおまかに指定された位置に最も近い人物の顔の両目位置に基づいて矩形の顔領域４３（図４参照）を特定する機能部であって、具体的には、マウス１４ｂのクリックボタンをクリックした時点でのカーソル３５の位置（指定位置）から最も近い顔の両目位置を特定し、該両目の間隔から顔の大きさを算出して、顔領域４３を特定する。
【００３１】
表示処理部２１は、レビュー画像３４の顔領域４３を電子的に拡大（電子ズーム）する機能部であって、具体的には、顔領域４３が中心となるようにレビュー画像３４をパンニングし、顔領域４３が画面（画像表示ウィンドウ３２ｃ）に収まるほぼ最大のサイズとなるように拡大する。なお、顔領域４３を示す矩形の枠は、レビュー画像３４中に表示してもしなくてもよい。
【００３２】
次に、上記構成を有する画像表示プログラム１６の処理手順を図３〜図５に基づいて具体的に説明する。図３のフローチャートにおいて、まず、操作部１３が操作されて、画像表示プログラム１６が起動されると、ＣＰＵ１０にブラウザ制御部１８、顔情報検出処理部１９、顔領域特定処理部２０、表示処理部２１などが生成され、ブラウザ制御部１８により、図２に示した画像表示ブラウザ３０がモニタ１２の画面上に表示される（ステップＳ１０）。さらに操作部１３が操作されて、サムネイルウィンドウ３２ｂから１つのサムネイル画像３３が選択されると、画像表示ウィンドウ３２ｃには該サムネイル画像３３に対応するレビュー画像３４が表示される（ステップＳ１１）。
【００３３】
レビュー画像３４が表示されると、ユーザによってレビュー画像３４中に位置指定がなされたか否かが判定される（ステップＳ１２）。つまり、レビュー画像３４の上にカーソル３５を重ねた状態でマウス１４ｂのクリックボタンがクリックされたか否かが判定される。レビュー画像３４中に位置指定がなされると、顔情報検出処理部１９によって、レビュー画像３４から人物の顔情報の検出が行われ（ステップＳ１３）、人物の両目が１組以上検出されたか否かが判定される（ステップＳ１４）。人物の両目が１組も検出されなかった場合には、そのまま処理が終了する。
【００３４】
人物の両目が１組以上検出された場合には、顔領域特定処理部２０により、指定位置から最も近い人物の両目の間隔から顔の大きさが算出されて顔領域４３が特定される（ステップＳ１５）。図４に示すように、レビュー画像３４に２人の人物４１，４２が存在する場合には、各人物の両目４１ａ，４２ａおよびそれらの位置が検出される。そして同図中のカーソル３５の位置でマウス１４ｂのクリックボタンがクリックされると、この指定位置に近い人物４１の両目４１ａの間隔Ｌ１が（例えばピクセル単位で）求められ、両目４１ａの位置および間隔Ｌ１に基づいて顔領域４３が特定される。
【００３５】
顔領域４３が設定されると、レビュー画像３４は、顔領域４３が中心となるようにパンニングされながら電子ズームが行われ、図５に示すように、顔領域４３が画面（画像表示ウィンドウ３２ｃ）に収まるほぼ最大のサイズに拡大される（ステップＳ１６）。このとき、顔領域４３が拡大されたズーム画像４４は、レビュー画像３４に代えて画像表示ウィンドウ３２ｃに表示される。
【００３６】
このように、ユーザは、おおまかな位置指定を行うだけで簡単に人物の顔領域４３を拡大表示することができる。ユーザは、ズーム画像４４を観察して、人物の顔にピントが合っているか、人物の顔の色合いが良いかなどをチェックし、画像の良し悪しを判断することができる。
【００３７】
なお、本第１実施形態では、ズーム画像４４をレビュー画像３４に代えて画像表示ウィンドウ３２ｃに表示するようにしたが、本発明はこれに限られるものではなく、ズーム画像４４を、拡大前の画像の表示領域である画像表示ウィンドウ３２ｃとは別のウィンドウに表示するようにしてもよい。図６は、画像表示ブラウザ３０の前面側にポップアップ表示されたポップアップウィンドウ５０にズーム画像４４を表示させた例である。
【００３８】
次に、上記とは別の第２実施形態を図７〜図９に基づいて説明する。本第２実施形態では、図７に示すように、画像表示ブラウザ３０内に、顔ズームボタン（アイコン）５１が表示されており、この顔ズームボタン５１にカーソル３５を合わせてマウス１４ｂのクリックボタンをクリックする（以下、顔ズームボタン５１を押すという）ことで、レビュー画像３４中の各顔領域４３が順次に拡大表示されるようになっている。
【００３９】
本第２実施形態において、顔領域特定処理部２０は、顔情報検出処理部１９によって検出されたすべての人物の顔に対して顔領域４３を特定するようになっており、表示処理部２１は、顔ズームボタン５１が押されるたびに、その都度１つの顔領域４３を選定して拡大表示するようになっている。なお、その他の構成は第１実施形態と同一である。
【００４０】
本第２実施形態の画像表示プログラム１６の処理手順を図８および図９に基づいて具体的に説明する。図８のフローチャートにおいて、まず、操作部１３が操作されて、画像表示プログラム１６が起動されると、ＣＰＵ１０にブラウザ制御部１８、顔情報検出処理部１９、顔領域特定処理部２０、表示処理部２１などが生成され、ブラウザ制御部１８により、図７に示す画像表示ブラウザ３０がモニタ１２の画面上に表示される（ステップＳ２０）。さらに操作部１３が操作されて、サムネイルウィンドウ３２ｂから１つのサムネイル画像３３が選択されると、画像表示ウィンドウ３２ｃには該サムネイル画像３３に対応するレビュー画像３４が表示される（ステップＳ２１）。
【００４１】
レビュー画像３４が表示されると、カーソル３５よって顔ズームボタン５１が押されたか否かが判定される（ステップＳ２２）。顔ズームボタン５１が押されると、顔情報検出処理部１９によって、レビュー画像３４から人物の顔情報４３の検出が行われ（ステップＳ２３）、人物の両目が１組以上検出されたか否かが判定される（ステップＳ２４）。人物の両目が１組も検出されなかった場合には、そのまま処理が終了する。
【００４２】
人物の両目が１組以上検出された場合には、顔領域特定処理部２０により、両目の間隔から各人物の顔の大きさが算出されて顔領域４３が特定される（ステップＳ２５）。図９に示すように、レビュー画像３４に２人の人物４１，４２が存在する場合には、各人物の両目４１ａ，４２ａが検出され、両目４１ａ，４２ａの位置および間隔Ｌ１，Ｌ２に基づいて各人物の顔領域４３が特定される。
【００４３】
すべての人物の顔領域４３が特定されると、表示処理部２１により、まず、両目間隔が最大の人物に対する顔領域４３が選定される（ステップＳ２６）。図９の例において“Ｌ１＞Ｌ２”の場合には、まず、人物４１に対する顔領域４３が選定される。そして、レビュー画像３４は、表示処理部２１により、選定された顔領域４３が中心となるようにパンニングされながら電子ズームが行われ、上記第１実施形態の図６のように、該顔領域４３が画面（画像表示ウィンドウ３２ｃ）に収まるほぼ最大のサイズとされる（ステップＳ２７）。このとき、顔領域４３が拡大表示されたズーム画像４４（図５参照）は、レビュー画像３４に代えて画像表示ウィンドウ３２ｃに表示される。
【００４４】
次いで、顔ズームボタン５１が押されたか否かが判定される（ステップＳ２８）。顔ズームボタン５１が押されると、ステップＳ２６へ戻り、表示処理部２１によって、次に両目間隔が大きい人物に対する顔領域４３が選定される。上記図９の例では、次に、人物４２に対する顔領域４３が選定される。続くステップＳ２７において、選定された顔領域４３が上記と同様にして拡大表示される。ステップＳ２６，Ｓ２７は、顔ズームボタン５１が押されるたびに繰り返し実行され、両目間隔が大きいものから順に各顔領域４３を順次に拡大表示させる。なお、表示処理部２１は、両目間隔が最小の人物に対する顔領域４３を選定した後は、再び両目間隔が最大の人物に対する顔領域４３を選定する。
【００４５】
このように、ユーザは、顔ズームボタン５１を押すだけで簡単に人物の顔領域４３を拡大表示することができる。ユーザは、ズーム画像４４を観察して、人物の顔にピントが合っているか、人物の顔の色合いが良いかなどをチェックし、画像の良し悪しを判断することができる。なお、本第２実施形態においても、上記第１実施形態の図６のように、拡大前の画像の表示領域とは異なる表示領域、つまり画像表示ウィンドウ３２ｃとは別のウィンドウ（ポップアップウィンドウなど）に、ズーム画像４４を表示するようにしてもよい。
【００４６】
次に、さらに別の第３実施形態を図１０に基づいて説明する。本第３実施形態の表示処理部２１は、顔領域特定処理部２０によって特定された各顔領域４３について、画像の高周波成分や、輝度・彩度（理想値からのずれ）などから画像の写り具合の評価値を算出する機能を備え、各顔領域４３の評価値に基づいて、顔ズームボタン５１が押されるたびに、その都度１つの顔領域４３を選定するようになっている。この評価値は、ピントが合っているか、照明が適正かなどを表すものである。なお、その他の構成は第２実施形態と同一である。
【００４７】
図１０に示す本第３実施形態の画像表示プログラム１６の処理手順は、ステップＳ３６，Ｓ３７以外は、図８に示した第２実施形態の処理手順と同一である。つまり、ステップＳ３６において各顔領域４３の写り具合の評価値が算出され、ステップＳ３７において評価値が高いもの（写り具合のよいもの）から順に顔領域４３が選定される。従って、顔ズームボタン５１が押されるたびに、写り具合のよい顔領域４３から順に拡大表示が行われる。
【００４８】
なお、上記第１〜第３実施形態において、静止画を拡大表示する場合について説明したが、本発明は動画に対しても適用することができる。すなわち、画像表示ウィンドウ３２ｃにレビュー画像３４として動画が再生表示されている場合に、第１実施形態においてはカーソル３５での位置設定、第２および第３実施形態においては顔ズームボタン５１の押下がなされた際のフレーム（コマ）に対して前述の顔情報検出処理部１９、顔領域特定処理部２０、および表示処理部２１が上記各処理を行い、このフレームを静止画として顔領域４３を拡大表示する。また、顔領域４３を動画のまま拡大表示することも可能である。
【００４９】
また、上記第１〜第３実施形態では、マウス１４ｂによってカーソル３５を移動させて位置設定を行うようにしたが、本発明はこれに限定されず、マウス１４ｂの代わりに、キーボード１４ａのカーソルキーや、不図示のタブレットなどの入力装置を用いることが可能である。
【００５０】
また、上記第２および第３実施形態では、顔ズームボタン５１をカーソル３５によって操作されるアイコンとしたが、本発明はこれに限定されず、顔ズームボタン５１をユーザによって直接操作される機械式のボタンによって構成してもよい。例えば、キーボード１４ａの１つのキーに顔ズームボタン５１を割り当ててもよいし、他の部分に専用のボタンを設けるようにしてもよい。
【００５１】
また、上記第１〜第３実施形態では、図７に示すようにズーム画像４４をレビュー画像３４とは別のウィンドウに表示するようにしてもよいことを述べたが、さらに、モニタ１２とは別に設けられたモニタにズーム画像４４を表示するようにしてもよい。
【００５２】
また、上記第１〜第３実施形態では、顔情報として人物の両目を検出することによって顔領域を特定するようにしたが、本発明はこれに限定されず、これに代えて、顔情報として顔の輪郭を検出すること、および／または、顔情報として顔の肌に相当する色情報を検出することによって顔領域を特定するようにしてもよい。
【００５３】
また、上記第１〜第３実施形態では、本発明をパーソナルコンピュータに適用したが、本発明はこれに限定されず、デジタルスチルカメラ、デジタルビデオカメラ、フォトストレージ、ＰＤＡ、携帯電話機など、画像表示装置を備えた各種電子機器に本発明を適用することができる。
【図面の簡単な説明】
【００５４】
【図１】本発明を適用したパーソナルコンピュータの構成を示すブロック図である。
【図２】モニタの画面上に表示された画像表示ブラウザを示す図である。
【図３】画像表示プログラムの処理手順を示すフローチャートである。
【図４】顔領域が特定されたレビュー画像の一例を示す図である。
【図５】顔領域が拡大表示されたズーム画像の一例を示す図である。
【図６】ズーム画像をポップアップウィンドウに表示した例を示す図である。
【図７】本発明の第２実施形態における画像表示ブラウザを示す図である。
【図８】本発明の第２実施形態における画像表示プログラムの処理手順を示すフローチャートである。
【図９】本発明の第２実施形態において顔領域が拡大表示されたレビュー画像の一例を示す図である。
【図１０】本発明の第３実施形態における画像表示プログラムの処理手順を示すフローチャートである。
【符号の説明】
【００５５】
２  パーソナルコンピュータ
１０  ＣＰＵ
１２  モニタ
１３  操作部
１４ａ  キーボード
１４ｂ  マウス
１６  画像表示プログラム
１８  ブラウザ制御部
１９  顔情報検出処理部
２０  顔領域特定処理部
２１  表示処理部
３０  画像表示ブラウザ
３４  レビュー画像
３５  カーソル
４３  顔領域
４４  ズーム画像
５０  ポップアップウィンドウ
５１  顔ズームボタン
【図１】
2006178222.tif 000003
【図２】
2006178222.tif 000004
【図３】
2006178222.tif 000005
【図４】
2006178222.tif 000006
【図５】
2006178222.tif 000007
【図６】
2006178222.tif 000008
【図７】
2006178222.tif 000009
【図８】
2006178222.tif 000010
【図９】
2006178222.tif 000011
【図１０】
2006178222.tif 000012